【手続補正書】
【提出日】平成23年4月4日(2011.4.4)
【手続補正１】
【補正対象書類名】明細書
【補正対象項目名】発明の名称
【補正方法】変更
【補正の内容】
【発明の名称】蒸気圧縮熱搬送システム中の熱交換方法、ならびに二列蒸発器または二列凝縮器を使用した中間熱交換器を含む蒸気圧縮熱搬送システム
【手続補正２】
【補正対象書類名】明細書
【補正対象項目名】００９２
【補正方法】変更
【補正の内容】
【００９２】
上記データは、ＩＨＸを使用したＨＦＣ−１３４ａによって得られるデータと比較すると、ＩＨＸを使用したフルオロオレフィン（ＨＦＣ−１２３４ｙｆ）の場合にエネルギー効率（ＣＯＰ）および冷却能力において予期せぬ改善を示されている。特に、ＣＯＰは７．６７％増加し、冷却能力は７．５０％増加した。
過冷却の差は、ＨＦＣ−１２３４ｙｆをＨＦＣ−１３４ａと比較した場合の分子量、液体密度、および液体の熱容量の差によって生じることに注意すべきである。これらの要因に基づいて、異なる化合物を使用して達成される過冷却に差が存在すると推定した。ＨＦＣ−１３４ａの過冷却を５℃に設定すると、ＨＦＣ−１２３４ｙｆの場合の対応する過冷却を計算すると５．８℃となった。
【手続補正３】
【補正対象書類名】明細書
【補正対象項目名】００９３
【補正方法】変更
【補正の内容】
【００９３】
以上、本発明を要約すると下記のとおりである。
１．内部を循環する作動流体を有する蒸気圧縮熱搬送システムにおける熱交換方法であって、
（ａ）フルオロオレフィンを含む作動流体を、内部熱交換器の第１の管の入口に、内部熱交換器を通し、そしてその出口に循環させるステップと、
（ｂ）作動流体を、内部熱交換器の第１の管の出口から、蒸発器の入口に、作動流体を蒸発させそれにより作動流体を気体作動流体に変換するための蒸発器を通し、そして蒸発器の出口を通して、循環させるステップと、
（ｃ）作動流体を、蒸発器の出口から、内部熱交換器の第２の管の入口に、凝縮器から出た液体作動流体から蒸発器から出た気体作動流体に熱を伝達するための内部熱交換器を通し、そして第２の管の出口に循環させるステップと、
（ｄ）作動流体を、内部熱交換器の第２の管の出口から、圧縮機の入口に、気体作動流体を圧縮するための圧縮機を通し、そして圧縮機の出口に、循環させるステップと、
（ｅ）作動流体を、圧縮機の出口から、凝縮器の入口に、そして圧縮された気体作動流体を液体に凝縮させるための凝縮器に通し、そして凝縮器の出口に、循環させるステップと、
（ｆ）作動流体を、凝縮器の出口から、凝縮器から出た液体の熱を蒸発器から出た気体に熱搬送するための、中間熱交換器の第１の管の入口に、そして第２の管の出口に、循環させるステップと、
（ｇ）作動流体を、内部熱交換器の第２の管の出口から、蒸発器に戻して、循環させるステップと
を含む、方法。
２．第２の管の中の作動流体が、第１の管の中の作動流体の流れの方向に対して向流方向に流れ、それによって第１の管の中の作動流体を冷却し、第２の管の中の作動流体を加熱する、上記１に記載の方法。
３．第１の管が第２の管より大きい直径を有し、そして第２の管が第１の管の中に同心的に配置され、そして第１の管の中の熱液体が、第２の管の中の冷気体を取り囲む、上記１に記載の方法。
４．凝縮ステップが、
（ｉ）二列凝縮器の後列に作動流体を循環させるステップであって、ここで後列が第１の温度で作動流体を受け取るステップと、
（ｉｉ）二列凝縮器の前列に作動流体を循環させるステップであって、ここで前列が第２の温度で作動流体を受け取り、ここで第２の温度は第１の温度より低く、その結果前列および後列を交差して伝わる空気は予熱され、それによって後列に到達するときの空気の温度が、前列に到達するときよりも高くなるステップと
を含む、上記１に記載の方法。
５．蒸発ステップが、
（ｉ）作動流体を、第１列と第２列とを有する二列蒸発器の入口を通過させるステップと、
（ｉｉ）第１列中の作動流体を、蒸発器の入口を通しての流体の流れに対して垂直方向に、循環させるステップと、
（ｉｉｉ）第２列中の作動流体を、入口を通しての作動流体の流れの方向とほぼ逆の方向で、循環させるステップと
を含む、上記１に記載の方法。
６．作動流体が、ハイドロフルオロカーボン、フルオロエーテル、炭化水素、ジメチルエーテル（ＤＭＥ）、二酸化炭素（ＣＯ２）、アンモニア（ＮＨ３）、およびヨードトリフルオロメタン（ＣＦ３Ｉ）から選択される少なくとも１つの化合物をさらに含む、上記１、４、または５のいずれかに記載の方法。
７．フルオロオレフィンがＨＦＣ−１２３４ｙｆを含む、上記１、４、または５のいずれかに記載の方法。
８．作動流体としてＨＦＣ−１３４ａを使用するシステムと比較して、システムの成績係数および冷却能力が少なくとも７．５％増加する、上記７に記載の方法。
９．熱交換のための蒸気圧縮熱搬送システムであって、
（ａ）入口と出口とを有する蒸発器と、
（ｂ）入口と出口とを有し、ここに入口が蒸発器の出口に接続された圧縮機と、
（ｃ）圧縮機の出口に接続された二列凝縮器であって、
（ｉ）入口と、
（ｉｉ）入口に接続された第１列であって、作動流体を第１の温度でマニホールドの
中に流し、次にチャネル内を少なくとも１つの方向で通し、第２の出口マニホールド中に集めることを可能にするための、第１の入口マニホールドと複数のチャネルとを含む第１列と、
（ｉｉｉ）第１列に接続された第２列であって、第１列中の作動流体より低い第２の温度で作動流体を誘導するための複数のチャネルを含む第２列と、
（ｉｖ）第１列を第２列に接続する導管と
を有する、二列凝縮器と、
（ｄ）中間熱交換器であって、
（ｉ）凝縮器の出口に接続された入口と出口とを有する第１の管と、
（ｉｉ）出口に接続された入口と、二列凝縮器の入口に接続された出口とを有する第２の管と
を有する、中間熱交換器と
を含み、
ここに蒸発器の入口が、中間熱交換器の第１の管の出口に接続される、蒸気圧縮熱搬送システム。
１０．熱交換のための蒸気圧縮熱搬送システムであって、
（ａ）作動流体を蒸発させるための二列蒸発器であって、
（ｉ）入口と、
（ｉｉ）入口に接続された前列と、
（ｉｉｉ）前列に接続された後列と、
（ｉｖ）後列に接続された出口と
を有する二列蒸発器と、
（ｂ）入口と出口とを有し、ここに入口が蒸発器の出口に接続された圧縮機と、
（ｃ）入口と出口とを有し、ここに入口が圧縮機の出口に接続された凝縮器と、
（ｄ）中間熱交換器であって、
（ｉ）凝縮器の出口ラインに接続された入口と、蒸発器の入口に接続された出口とを有する第１の管と、
（ｉｉ）蒸発器の出口に接続された入口を有する第２の管と
を有する中間熱交換器と
を含む、蒸気圧縮熱搬送システム。
【手続補正４】
【補正対象書類名】特許請求の範囲
【補正対象項目名】全文
【補正方法】変更
【補正の内容】
【特許請求の範囲】
【請求項１】
内部を循環する作動流体を有する蒸気圧縮熱搬送システムにおける熱交換方法であって、
（ａ）フルオロオレフィンを含む作動流体を、内部熱交換器の第１の管の入口に、内部熱交換器を通し、そしてその出口に循環させるステップと、
（ｂ）作動流体を、内部熱交換器の第１の管の出口から、蒸発器の入口に、作動流体を蒸発させそれにより作動流体を気体作動流体に変換するための蒸発器を通し、そして蒸発器の出口を通して、循環させるステップと、
（ｃ）作動流体を、蒸発器の出口から、内部熱交換器の第２の管の入口に、凝縮器から出た液体作動流体から蒸発器から出た気体作動流体に熱を伝達するための内部熱交換器を通し、そして第２の管の出口に循環させるステップと、
（ｄ）作動流体を、内部熱交換器の第２の管の出口から、圧縮機の入口に、気体作動流体を圧縮するための圧縮機を通し、そして圧縮機の出口に、循環させるステップと、
（ｅ）作動流体を、圧縮機の出口から、凝縮器の入口に、そして圧縮された気体作動流
体を液体に凝縮させるための凝縮器に通し、そして凝縮器の出口に、循環させるステップと、
（ｆ）作動流体を、凝縮器の出口から、凝縮器から出た液体の熱を蒸発器から出た気体に熱搬送するための、中間熱交換器の第１の管の入口に、そして第２の管の出口に、循環させるステップと、
（ｇ）作動流体を、内部熱交換器の第２の管の出口から、蒸発器に戻して、循環させるステップと
を含む、方法。
【請求項２】
熱交換のための蒸気圧縮熱搬送システムであって、
（ａ）入口と出口とを有する蒸発器と、
（ｂ）入口と出口とを有し、ここに入口が蒸発器の出口に接続された圧縮機と、
（ｃ）圧縮機の出口に接続された二列凝縮器であって、
（ｉ）入口と、
（ii）入口に接続された第１列であって、作動流体を第１の温度でマニホールドの中に流し、次にチャネル内を少なくとも１つの方向で通し、第２の出口マニホールド中に集めることを可能にするための、第１の入口マニホールドと複数のチャネルとを含む第１列と、
（iii）第１列に接続された第２列であって、第１列中の作動流体より低い第２の温度で作動流体を誘導するための複数のチャネルを含む第２列と、
（iv）第１列を第２列に接続する導管と
を有する、二列凝縮器と、
（ｄ）中間熱交換器であって、
（ｉ）凝縮器の出口に接続された入口と出口とを有する第１の管と、
（ii）出口に接続された入口と、二列凝縮器の入口に接続された出口とを有する第２の管と
を有する、中間熱交換器と
を含み、
ここに蒸発器の入口が、中間熱交換器の第１の管の出口に接続される、蒸気圧縮熱搬送システム。
【請求項３】
熱交換のための蒸気圧縮熱搬送システムであって、
（ａ）作動流体を蒸発させるための二列蒸発器であって、
（ｉ）入口と、
（ii）入口に接続された前列と、
（iii）前列に接続された後列と、
（iv）後列に接続された出口と
を有する二列蒸発器と、
（ｂ）入口と出口とを有し、ここに入口が蒸発器の出口に接続された圧縮機と、
（ｃ）入口と出口とを有し、ここに入口が圧縮機の出口に接続された凝縮器と、
（ｄ）中間熱交換器であって、
（ｉ）凝縮器の出口ラインに接続された入口と、蒸発器の入口に接続された出口とを有する第１の管と、
（ii）蒸発器の出口に接続された入口を有する第２の管と
を有する中間熱交換器と
を含む、蒸気圧縮熱搬送システム。